(57)【要約】【課題】  遊技機に搭載された機能部品に不正行為を働こうとしたことを明確に識別することができる不正抑制手段を提供する。【解決手段】  遊技機に搭載された機能部品に不正行為を働くことを抑制するための不正抑制手段である。該機能部品である基板ユニットにおいて、不正抑制手段である封印部２３にはインクカプセル３１を配置する。該インクカプセル３１は、カプセルと、該カプセルに封入されたインクとを備えるものであり、該カプセルには、外力の付与によって該インクを外部へ流出させるものを使用し、該インクには、該カプセルの外部への流出に基づいて発光するものを使用する。【選択図】      図４
2007289211.tif 000002
【特許請求の範囲】
【請求項１】
遊技機に搭載された機能部品に不正行為を働くことを抑制するための不正抑制手段であって、
該機能部品、あるいは該機能部品の近接位置又は近傍位置にインクカプセルを配置するとともに、該インクカプセルは、カプセルと、該カプセルに封入されたインクとを備えるものであり、該カプセルには、外力の付与によって該インクを外部へ流出させるものを使用し、該インクには、該カプセルの外部への流出に基づいて発光するものを使用することを特徴とする不正抑制手段。
【請求項２】
該インクには、黄色を除く色相のものを使用する請求項１に記載の不正抑制手段。
【請求項３】
該インクには、機能部品、あるいは機能部品の近接位置又は近傍位置であって該インクが付着した部位を溶かす又は腐食させる成分が含まれるものを使用する請求項１又は請求項２に記載の不正抑制手段。
【請求項４】
該機能部品とは、基板を収容する基板ユニットであり、該基板ユニットは、該基板を収容するための収容口を有するケースと、該収容口を閉塞するためのカバーと、該収容口を開封不能に封印するための封印部とを備えたものであり、
該封印部は、該ケース又は該カバーのいずれか一方から突出して形成された嵌合雄部と、該嵌合雄部と対応する箇所において該カバー又は該ケースのいずれか一方に形成された嵌合雌部とを有するとともに、
該嵌合雄部が該嵌合雌部の内部に挿入されてかしめられることによって該収容口を封印するように構成され、かつ該ケース又は該カバーから該嵌合雄部の少なくとも１部が切除されることによってのみ該収容口の封印を解除するように構成されたものであり、
該嵌合雄部における該ケース又は該カバー側の一端を基端として、該嵌合雄部の基端から先端にわたって該インクカプセルを内装した
請求項１から請求項３のうち何れか一項に記載の不正抑制手段。
【請求項５】
遊技機上にはその内部へとつながる隙間が存在しており、該機能部品とは、遊技機の施錠装置又は遊技機の役物であり、該機能部品の近接位置又は近傍位置とは、該隙間から施錠装置又は役物に至るまでの経路であって、該経路上に該インクカプセルを配置した請求項１から請求項３のうち何れか一項に記載の不正抑制手段。
【発明の詳細な説明】
【技術分野】
【０００１】
本発明は、遊技者の操作に基づく遊技の進行に伴って遊技状態が変化する遊技機が設置された遊技場において、遊技機に搭載された機能部品に対する不正行為を抑制するための不正抑制手段に関する。
【背景技術】
【０００２】
従来、パチンコ機等のような遊技機には、遊技者の操作に基づく遊技の進行に伴って遊技状態を変化させるべく、該遊技状態を制御する基板、役物等の機能部品が搭載されている。また、パチンコ機における玉づまりの解消、メンテナンス等のため、遊技機の前面には開閉可能な扉が設けられている。そして、該扉が不意に開閉されることを防止するため、遊技機には機能部品として施錠装置が取り付けられている。一方、近時においては、不正の利益を得る目的で、前記のような機能部品に細工を施すという不正行為を働く者の存在が報告されている。そこで、該不正行為を抑制するべく、遊技機には、種々の不正抑制手段が設けられている。
このような不正抑制手段として、例えば特許文献１に記載のパチンコ機は、遊技機能部品が複数の機能別ユニットとして分割され、前記機能別ユニットは、遊技内容を制御するマスターユニットとしての遊技制御ユニットと、マスターユニットからの一方向の指示により動作するスレーブユニットとから構成され、遊技制御ユニットには透視可能な状態で密封封止した不正防止手段を有する遊技制御回路基板を設けている。
特許文献２に記載の遊技機は、遊技状態を検出または決定する遊技状態検出／決定手段と、遊技機を制御する制御手段とを備えた遊技機において、遊技状態検出／決定手段と制御手段を接続する光伝送手段を備え、前記光伝送手段は、遊技状態検出／決定手段と制御手段の間で光信号を伝送する光ケーブルと、その光ケーブルの両端に接続されたコネクタを備えており、不正行為防止手段として、前記遊技状態検出／決定手段と制御手段に接続した両コネクタを透明な樹脂で封止している。
【０００３】
特許文献３に記載のパチンコ遊技機は、前面枠体の前面一側に開閉自在に軸支されると共に開放側には前記前面枠体に設けられたシリンダー錠の前端部が挿通される貫通孔を有する透明板保持枠を備えており、前記前面枠体の前面に、前記貫通孔から針金等の不正具を差し込んで行われる不正を防止するための不正防止手段が設けられている。
特許文献４に記載の遊技機の基板ケースは、ケース本体と該ケース本体を覆うカバー体とから成って、前記ケース本体及びカバー体の各側面に対応する位置に、開封腕部を介してかしめ部がそれぞれ突設されて、各かしめ部を一体化すべくかしめて開封不能となる封印部を備えており、前記ケース本体及びカバー体のいずれか一方、又は双方にインク類が封入されている。
【０００４】
【特許文献１】特開２００５−３２４０６７号公報
【特許文献２】特開２００４−２０９２８２号公報
【特許文献３】特開２００３−１１７２００号公報
【特許文献４】特開２００１−３１４６２４号公報
【発明の開示】
【発明が解決しようとする課題】
【０００５】
ところが、上記のような不正抑制手段は、例えば、透明樹脂等で透視可能な状態に封止する不正抑制手段においては、該透明樹脂と同等の樹脂を使用する等して、不正行為の痕跡が残らないように再封止を施し、視認のみによる不正行為の判別を不可能としてしまう。また、貫通孔から針金等の不正具を差し込んで行われる不正を防止するための不正防止手段においては、貫通孔以外の箇所であって、扉である前面枠体又は透明板保持枠の周囲に存在する極僅かな隙間から不正具を差し込んで不正を行う。さらに、ケース本体及びカバー体のいずれか一方又は双方にインク類を封入する不正抑制手段においては、該インク類の封入箇所（開封腕部）を避けて封印部を破壊する（例えば封印ボス部のビス挿通穴、あるいは下穴を拡げる、封印ボス部を割る等）ことにより、不正を行う。
【０００６】
このように、いくら不正行為を働きづらい構造にしようとも、不正行為を働く者は、該不正抑制手段を回避したうえ、あたかも不正行為が働かれていないかのように詐称して、該不正行為の痕跡を隠蔽し、該不正行為を続けようとする。故に、不正行為を抑制するには、該不正行為の痕跡を明確に識別することで、不正行為を働く者を発見する、あるいは不正行為を働かれた遊技機を撤去等することが有効な方法となる。
本発明は、このような従来技術に存在する問題点に着目してなされたものである。その目的とするところは、遊技機に搭載された機能部品に不正行為を働こうとしたことを明確に識別することができる不正抑制手段を提供することにある。
【課題を解決するための手段】
【０００７】
上記の目的を達成するために、請求項１に記載の不正抑制手段の発明は、遊技機に搭載された機能部品に不正行為を働くことを抑制するための不正抑制手段であって、該機能部品、あるいは該機能部品の近接位置又は近傍位置にインクカプセルを配置するとともに、該インクカプセルは、カプセルと、該カプセルに封入されたインクとを備えるものであり、該カプセルには、外力の付与によって該インクを外部へ流出させるものを使用し、該インクには、該カプセルの外部への流出に基づいて発光するものを使用することを要旨とする。
上記構成によれば、針金、金属片等の挿入、あるいは機能部品の除去等の方法で機能部品に不正行為を働こうとした場合、該機能部品、あるいは該機能部品の近接位置又は近傍位置に配置されたインクカプセルにおいて、カプセルは、外力が付与されることによってインクを外部へ流出させる。このインクには、カプセルの外部への流出に基づいて発光するものが使用されている。従って、インクの発光を確認することにより、機能部品に不正行為を働く目的で何らかの手段が講じられたことを明確に識別することができる。
【０００８】
請求項２に記載の発明は、請求項１に記載の不正抑制手段の発明において、該インクには、黄色を除く色相のものを使用することを要旨とする。
上記構成によれば、発光するインクの一般的な色相である黄色を除外することにより、インクの発光を目立たせることができるとともに、不正行為を働く者によるインクカプセルの詐称を抑制することができる。
【０００９】
請求項３に記載の発明は、請求項１又は請求項２に記載の不正抑制手段の発明において、該インクには、機能部品、あるいは機能部品の近接位置又は近傍位置であって該インクが付着した部位を溶かす又は腐食させる成分が含まれるものを使用することを要旨とする。
上記構成によれば、インクが付着した部位を溶かす又は腐食させることにより、不正行為の痕跡を隠蔽しづらくすることができるとともに、インクの流出を確認しやすくすることができる。
【００１０】
請求項４に記載の発明は、請求項１から請求項３のうち何れか一項に記載の不正抑制手段の発明において、該機能部品とは、基板を収容する基板ユニットであり、該基板ユニットは、該基板を収容するための収容口を有するケースと、該収容口を閉塞するためのカバーと、該収容口を開封不能に封印するための封印部とを備えたものであり、該封印部は、該ケース又は該カバーのいずれか一方から突出して形成された嵌合雄部と、該嵌合雄部と対応する箇所において該カバー又は該ケースのいずれか一方に形成された嵌合雌部とを有するとともに、該嵌合雄部が該嵌合雌部の内部に挿入されてかしめられることによって該収容口を封印するように構成され、かつ該ケース又は該カバーから該嵌合雄部の少なくとも１部が切除されることによってのみ該収容口の封印を解除するように構成されたものであり、該嵌合雄部における該ケース又は該カバー側の一端を基端として、該嵌合雄部の基端から先端にわたって該インクカプセルを内装したことを要旨とする。
上記構成によれば、嵌合雄部の少なくとも１部が切除されることによってのみ該収容口の封印を解除するように構成されるとともに、インクカプセルは、該嵌合雄部の基端から先端にわたって内装されている。このため、収容口の封印を解除する場合には、インクカプセルも必ず破断され、インクを外部に流出させることとなる。従って、基板ユニットに不正行為を働くことを目的として、該基板ユニットが開封されたことを明確に識別することができる。
【００１１】
請求項５に記載の発明は、請求項１から請求項３のうち何れか一項に記載の不正抑制手段の発明において、遊技機上にはその内部へとつながる隙間が存在しており、該機能部品とは、遊技機の施錠装置又は遊技機の役物であり、該機能部品の近接位置又は近傍位置とは、該隙間から施錠装置又は役物に至るまでの経路であって、該経路上に該インクカプセルを配置したことを要旨とする。
上記構成によれば、施錠装置又は遊技機の役物に不正行為を働く目的で、遊技機上の隙間から針金、金属片等の異物が挿入されたことを明確に識別することができる。
【発明の効果】
【００１２】
本発明によれば、遊技機に搭載された機能部品に不正が働かれたことを明確に識別することができる。
【発明を実施するための最良の形態】
【００１３】
以下、本発明における不正抑制手段を具体化した実施形態について説明する。
まず、遊技機の概略構成を説明する。なお、遊技機とは、パチンコ機、パチスロ機、スロット機等であり、遊技場において島設備と総称される玉供給装置、コイン供給装置等に組み込まれて設置されたものである。また、これ以降は、遊技機における遊技者と向かい合う面を該遊技機の前面とし、遊技機における該前面と対向する面を該遊技機の後面とする。
図１は、遊技機の概略構成を示す正面図である。遊技機１０は、外枠１１と、該外枠１１の内側に組み付けられた中枠１２とを備えている。外枠１１は、前記島設備（図示略）に固定されている。中枠１２は、該外枠１１に対し、着脱可能かつ開閉可能に組み付けられている。そして、該中枠１２の内側には、遊技盤１３が組み付けられている。
該遊技盤１３がその前面から遊技者等の第三者に接触されることを抑制するべく、該中枠１２には、透明樹脂、ガラス等が嵌め込まれた前枠１４が開閉可能に取り付けられている。さらに、中枠１２には、遊技機の操作等に係る球皿１５、ハンドル１６が組み付けられている。そして、該中枠１２は、第三者によって不用意に開閉されることがないようにするため、該中枠１２に組み付けられた機能部品である施錠装置１７によって、外枠１１に対して施錠固定されている。また、外枠１１に対して着脱可能かつ開閉可能としたことにより、施錠固定された状態の中枠１２と該外枠１１との間には、極僅かであるが隙間１８が形成されている。
【００１４】
遊技盤１３は、遊技を行うための主要な部品である。また、流行に合わせる、新機種の導入を容易にする、遊技場内における機種移動を簡易に行う等のために遊技盤１３のみを交換可能とするべく、該遊技盤１３は、中枠１２に対して着脱することができるように構成されている。該遊技盤１３の前面には、機能部品として、遊技状態を知らしめる、あるいは遊技を興味深いものにするための役物、目釘などが取り付けられている。該遊技盤１３の後面には、機能部品として、遊技状態を制御する基板ユニット１９が取り付けられている。
【００１５】
図２は、遊技機１０の後面側から見た基板ユニット１９を示す正面図である。基板ユニット１９は、ケース２０と、カバー２１とを備えている。ケース２０は、一面が開口された箱状に形成されており、該開口を収容口として、その内部に基板が収容されるようになっている。カバー２１は、浅皿状に形成されており、ケース２０の収容口に嵌め込むことができるようになっている。また、ケース２０の両側部には、嵌め込まれたカバー２１を係止するための係止爪２０ａが設けられるとともに、カバー２１には、基板に繋げるハーネスを通すための挿通筒２１ａが形成されている。該ハーネスを挿通筒２１ａに挿通した状態で、さらに係止爪２０ａをカバー２１の周縁に係止させることにより、ケース２０からカバー２１を脱着させにくくすることができる。
【００１６】
次いで、基板ユニット１９に設けられた不正抑制手段について説明する。該基板ユニット１９においては、不正抑制手段として、収容口を開封不能に封印するための封印部２３が設けられている（図２参照）。該封印部２３は、カバー２１の一側面から突出して形成された嵌合雄部２４と、該嵌合雄部２４と対応する箇所においてケース２０の一側面から突出して形成された嵌合雌部２５とを有している。
図３（ａ），（ｂ）及び図４（ａ），（ｂ）に示すように、該嵌合雌部２５は、二面が開口された箱状をなしており、その内側には鋸歯状のかしめ凹凸２５ａが形成されている。一方、該嵌合雄部２４は、挿入突起２６と、密封蓋２７とからなる。該挿入突起２６の側面には、鋸歯状の凹凸２６ａが形成されている。該挿入突起２６を該嵌合雌部２５に挿入した場合（図３（ｂ）参照）、該凹凸２６ａと該嵌合雌部２５のかしめ凹凸２５ａとが互いにかみ合わされ、該挿入突起２６の該嵌合雌部２５からの引き抜きが規制される。
また、密封蓋２７は、蓋枠２７ａと、封蓋２７ｂとからなる。該蓋枠２７ａは、該嵌合雌部２５の開口された一面に嵌め込まれるようになっており、該封蓋２７ｂは、該蓋枠２７ａの内側に封蓋２７ｂが嵌め込まれるようになっている。さらに、該封蓋２７ｂには嵌合爪２７ｃが形成されており、該嵌合爪２７ｃが嵌合雌部２５及び該蓋枠２７ａに嵌着されることにより、該封印部２３の内部が密閉される。加えて、該嵌合爪２７ｃのうち嵌合雌部２５に嵌着されるものは、該挿入突起２６を押さえつけており（図４（ｂ）参照）、該挿入突起２６が該嵌合雌部２５内で動くことを規制している。
【００１７】
該嵌合雄部２４が該嵌合雌部２５の内部に挿入された場合、該嵌合雌部２５に対する該挿入突起２６の引き抜き及び動きが規制されることによってかしめられ、ケース２０からのカバー２１の脱着が不能となり、収容口が封印される。一方、嵌合雄部２４の密封蓋２７において、蓋枠２７ａの基端部には間隙部２７ｄが形成されている。メンテナンス、部品交換などを目的としてケース２０からカバー２１を脱着する場合、該間隙部２７ｄを手がかりとして、嵌合雄部２４の密封蓋２７及び挿入突起２６の少なくとも一方を切除することによってのみ、該収容口の封印を解除することができる。
【００１８】
該嵌合雄部２４において、挿入突起２６には、収容孔３０がカバー２１側の一端を基端として、該基端から先端にわたって延びるように設けられている。そして、該収容孔３０には、インクカプセル３１が収容されることにより、該嵌合雄部２４には該インクカプセル３１が内装されている。また、該インクカプセル３１は、その長さが収容孔３０の長さと同一又は長く形成されており（本実施形態のインクカプセル３１は収容孔３０よりも長い）、該嵌合雄部２４の基端から先端にいたる全体にわたって内装されている。
該インクカプセル３１は、第１カプセル３２と、該第１カプセル３２内に収容された第２カプセル３３とを備えている。該第１カプセル３２は、合成樹脂等のような所定の撓み性能を有する材料からなり、第２カプセル３３は、ガラス等のような材料、つまりは第１カプセル３２の材料に較べて撓みにくく、脆い材料からなる。第１カプセル３２内には、少なくとも蛍光物質、活性シュウ酸エステルを含むインクが封入されている。一方、第２カプセル３３内には、少なくとも過酸化水素、触媒を含む活性化剤が封入されている。該インクカプセル３１を曲げたり、破断する等して外力を付与した場合、脆い材料からなる第２カプセル３３が割れて、封入された活性化剤がインクと混じり、また第１カプセル３２が割れると活性化剤が混じったインクが外部へ流出し、発光する。
【００１９】
さて、上記のように基板ケース１９を開放するべく嵌合雄部２４の少なくとも一部を切除した場合、インクカプセル３１は嵌合雄部２４の全体にわたって内装されているため、該インクカプセル３１もまた切断される。その結果、インクカプセル３１内からインクが流出し、発光する。すなわち、関係者、不正行為者に関わらず何れの者も、該基板ケース１９を開放する場合には嵌合雄部２４の挿入突起２６を切除しなければならず、嵌合雄部２４の少なくとも一部が切除された場合には、必ずインクの発光を確認することができる。また、関係者による行為に係るインクの発光であれば、関係者同士の連絡によって何ら問題となることはない。従って、該インクの発光により、遊技機に搭載された基板ケース１９に不正が働かれたことを明確に識別することができる。
【００２０】
また、外部へ流出したインクには、活性化剤として過酸化水素が含まれているため、該過酸化水素の酸化作用により、該インクは、付着した部位を溶かす又は腐食させることとなる。従って、外部へ流出したインクを拭き取ろうとも流出の痕跡が残るため、不正行為の痕跡を隠蔽しづらくすることができるとともに、インクの流出を確認しやすくすることができる。
また、インクの色相としては、黄色、緑色、青色、桃色、燈色、赤色、白色、マゼンダ色など多種あるが、該不正抑制手段に使用するインクの色相には、黄色を除くものを使用することが好ましい。これは、発光するインクの色相としては黄色のものが多いことから、インクあるいはインクカプセルを詐称されるおそれがあるためである。
【００２１】
なお、上記実施形態においては、基板ユニット１９に不正抑制手段を設けたが、該基板ユニット１９以外の機能部品である施錠装置１７、役物等に不正行為が働かれるおそれがある。そこで、不正抑制手段として、上記構成のインクカプセル３１を施錠装置１７の周辺部位、役物等に設けてもよい。例えば、施錠装置１７であれば、隙間１８（図１参照）から針金、金属片等を挿入し、該施錠装置１７を無理にこじ開けて不正行為を働く場合があり、このような不正行為を防止するには該隙間１８から施錠装置１７に至るまでの経路上にインクカプセル３１を配置すればよい。また、役物であれば、施錠装置１７と同様に隙間１８からの経路上にインクカプセル３１を配置してもよく、さらには役物を遊技盤１３に取り付け固定している部位にインクカプセル３１を配置してもよい。
【図面の簡単な説明】
【００２２】
【図１】遊技機の概略構成を示す正面図。
【図２】基板ユニットを示す平面図。
【図３】（ａ），（ｂ）は封印部を示す斜視図。
【図４】（ａ），（ｂ）は封印部を示す断面図。
【符号の説明】
【００２３】
１０    遊技機
１７    機能部品としての施錠装置
１８    隙間
１９    機能部品としての基板ユニット
２０    ケース
２１    カバー
２３    不正抑制手段としての封印部
２４    嵌合雄部
２５    嵌合雌部
３１    インクカプセル
【図１】
2007289211.tif 000003
【図２】
2007289211.tif 000004
【図３】
2007289211.tif 000005
【図４】
2007289211.tif 000006